(57)【要約】【課題】場所や時間を選ばずに簡易に視力を測定可能とする。【解決手段】被検者が把持する筐体２に、視力検査記号を表示する表示部３と、該表示部３に表示された視力検査記号に対する応答を被検者に入力させる入力操作部４とを備え、表示部３に、該表示部３から発せられる光を平行光として筐体２外部に放射させるコリメート手段７を備える電子視力計１を提供する。【選択図】    図２
2004201998.tif 000002
【特許請求の範囲】
【請求項１】
被検者が把持する筐体に、視力検査記号を表示する表示部と、該表示部に表示された視力検査記号に対する応答を被検者に入力させる入力操作部とを備え、
前記表示部に、該表示部から発せられる光を平行光として筐体外部に放射させるコリメート手段を備える電子視力計。
【請求項２】
前記表示部に表示された視力検査記号に対し、前記入力操作部から入力された応答が正しいか否かを判断することにより視力を判定する視力判定部を備える請求項１に記載の電子視力計。
【請求項３】
前記入力操作部が、前記表示部と平行な平面内に配置された４方向を指示可能なスイッチからなる請求項１または請求項２に記載の電子視力計。
【請求項４】
前記入力操作部により入力された被検者の応答を外部に対して出力可能なデータ出力部を備える請求項１から請求項３のいずれかに記載の電子視力計。
【発明の詳細な説明】
【０００１】
【発明の属する技術分野】
この発明は、電子視力計に関する。
【０００２】
【従来の技術】
従来より、視力検査記号、例えば、ランドルト環を画面上に表示して、その表示に対する応答を被検者に入力させることにより、表示した視力検査記号と入力された応答との正誤に基づいて視力を判定する自動視力計が提案されている（例えば、特許文献１，２参照。）。
【０００３】
【特許文献１】
特開平９−１８７４２３号公報
【特許文献２】
特開平８−３３６０８号公報
【０００４】
【発明が解決しようとする課題】
しかしながら、これらの文献に記載されている自動視力計は、据置型の視力計であり、眼科医あるいはメガネ店など特定の場所に設置されるものであった。したがって、検査を希望する被検者は、眼科医あるいはメガネ店などに出向いて行く必要があった。また、病院内においても眼科に設置されているだけであるため、入院患者等もわざわざ眼科まで出向いていかなければならないという不都合があった。
この発明は、上述した事情に鑑みてなされたものであって、場所を選ばずに簡易に視力を測定することができる電子視力計を提供することを目的としている。
【０００５】
【課題を解決するための手段】
上記目的を達成するために、この発明は、以下の手段を提供する。
請求項１に係る発明は、被検者が把持する筐体に、視力検査記号を表示する表示部と、該表示部に表示された視力検査記号に対する応答を被検者に入力させる入力操作部とを備え、前記表示部に、該表示部から発せられる光を平行光として筐体外部に放射させるコリメート手段を備える電子視力計を提供する。
【０００６】
この発明によれば、被検者が筐体を把持してその表示部を見た状態で、表示部に表示される視力検査記号に応じてその応答を入力操作部から入力することにより、表示された視力検査記号と入力された応答とに基づいて、被検者の視力を判断することが可能となる。この場合において、被検者が把持する筐体に、表示部と入力操作部とが備えられているので、被検者は場所を選ぶことなく、簡単に視力検査を行うことができる。また、筐体を被検者に把持させた状態で視力検査が行われるため、表示部と被検者の眼との距離が一定に保たれ難いが、コリメート手段の作動により、表示部から発せられる光は平行光として筐体外部に放射されるので、表示部と眼との距離が変動しても正確な大きさの視力検査記号を認識することができ、高い精度で検査を行うことが可能となる。
【０００７】
請求項２に係る発明は、請求項１に記載の電子視力計において、前記表示部に表示された視力検査記号に対し、前記入力操作部から入力された応答が正しいか否かを判断することにより視力を判定する視力判定部を備える電子視力計を提供する。
この発明によれば、視力判定部の作動によりその場で視力検査結果を知ることが可能となる。
【０００８】
請求項３に係る発明は、請求項１または請求項２に記載の電子視力計において、前記入力操作部が、前記表示部と平行な平面内に配置された４方向を指示可能なスイッチからなる電子視力計を提供する。
この発明によれば、４方向を指示可能な入力操作部を表示部と平行な平面内に配置することにより、表示部を見ながらその表示部に現れる視力検査記号に従って、反射的にその適正な方向を指示することが可能となる。
【０００９】
請求項４に係る発明は、請求項１から請求項３のいずれかに記載の電子視力計において、前記入力操作部により入力された被検者の応答を外部に対して出力可能なデータ出力部を備える電子視力計を提供する。
この発明によれば、データ出力部の作動により被検者の応答を外部に出力することができるので、電子視力計の内部にデータを蓄えておく必要がなく、小型軽量化を図ることができるとともに、複数の被検者の検査履歴等を外部において管理することも可能となる。
【００１０】
【発明の実施の形態】
この発明の一実施形態に係る電子視力計について、図面を参照して以下に説明する。
本実施形態に係る電子視力計１は、図１に示されるように、筐体２と、該筐体２に設けられた表示部３と、被検者に操作させる入力操作部４とを備えている。前記筐体２は、被検者が片手で把持可能な略円柱状に形成されている。
【００１１】
前記表示部３は、例えば、図２に示されるように、液晶表示装置５を備え、前記筐体２の一端側内部に配置されている。液晶表示装置５の表示面５ａが対向する筐体２の側壁にはファインダ用の開口部６が設けられている。また、この開口部６と液晶表示装置５の表示面５ａとの間には、後述するレンズ７（コリメート手段）が設けられている。
【００１２】
前記入力操作部４は、筐体２の長さ方向の途中位置に側面から突出するジョグスイッチである。このジョグスイッチは、上下および左右の４方向を指示することができる十字型のスイッチであり、前記ファインダ用の開口部６が設けられている面（以下、前面とも言う。）と平行な面内において４方向に移動できるように配置されている。ジョグスイッチの上下左右には、方向指示スイッチ４ａ〜４ｄ、中央には、例えば、検査を開始させるスタートスイッチ４ｅが設けられている。
【００１３】
筐体２内部には、図２に示されるように、前記表示部３の液晶表示装置５を制御し、前記入力操作部４からの入力信号を受ける制御部８と、表示部３、制御部８および入力操作部４に電源を供給するバッテリー９とが備えられている。
前記制御部８は、図３に示されるように、複数の視力検査記号を記憶している記号記憶部１０と、該記号記憶部１０から視力検査記号を所定の順序あるいはランダムに読み出して表示部３に表示させる表示処理部１１と、前記入力操作部４から入力された被検者の応答を表示部３に表示した視力検査記号１０と関連付けて記憶する検査データ記憶部１２と、所定数の検査が終了した後に検査データ記憶部１２に記憶されている検査結果に基づいて視力を判定する視力判定部１３とを備えている。
【００１４】
前記レンズ７は、前記液晶表示装置５から発せられる拡散光を通過させることにより、平行光に変換するように構成されている。これにより、液晶表示装置５の表示面５ａと被検者の眼Ｅとの距離が変動しても、液晶表示装置５に表示された視力検査記号Ｓの大きさが変化しないようになっている。特に、レンズ７を非球面レンズにより構成しておくことで、収差による視力検査記号Ｓの歪みも補正することができる。
【００１５】
このように構成された本実施形態に係る電子視力計１の作用について、以下に説明する。
本実施形態に係る電子視力計１を用いて被検者が視力検査をする場合には、被検者は、筐体２を、例えば、右手に把持してその親指を筐体２の前面に配されている入力操作部４に配置する。そして、例えば、筐体２の一端部に設けられている開口部６に片目を対向配置して内部の液晶表示装置５を覗き込む。この状態で、所定のスタートボタン（例えば、ジョグスイッチの中央に配置したスタートスイッチ２ｅ）を押すことにより、制御部８に検査を開始させる。
【００１６】
スタートボタンからの入力信号は制御部８に伝達され、制御部８の表示処理部１１は、記号記憶部１０から視力検査記号Ｓを読み出して表示部３に表示する。被検者は、表示部３に表示された視力検査記号Ｓに応じて、反射的に入力操作部４を操作する。例えば、視力検査記号Ｓがランドルト環である場合には、その切れ目の方向をジョグスイッチによって指示する。入力操作部４からの入力信号は、制御部８内の検査データ記憶部１２に記憶される。
【００１７】
制御部８は、入力操作部４から被検者の応答が入力されたこと、あるいは、一の視力検査記号Ｓの表示から所定の時間が経過したこと等を条件として、次の視力検査記号Ｓを記号記憶部１０から読み出して表示部３に表示する。このようにして複数回の視力検査記号Ｓの表示とそれに対する入力操作部４からの応答が入力された段階で視力検査が終了し、視力判定部１３において、被検者の視力の判定が行われることになる。そして、視力判定結果は、表示処理部１１によって表示部３に表示される。
【００１８】
この場合において、本実施形態に係る電子視力計１は、片手で把持できる程度の大きさに構成されているので、従来の据え付け型の自動視力計と異なり、時間や場所を選ぶことなく、視力検査を行うことが可能となる。例えば、病院内においては、看護師が携帯して、各病室において被検者の視力検査を行うことができる。
【００１９】
このようにして電子視力計１をポータブルに構成することにより、液晶表示装置５の表示面５ａと被検者の眼Ｅとの距離の調整は、筐体２を把持する被検者に委ねられることになる。しかし、本実施形態に係る電子視力計１によれば、液晶表示装置５とファインダ用の開口部６との間に配置したレンズ７によって、液晶表示装置５から発せられた光が平行光となって開口部６から筐体２外部に発せられる。したがって、被検者は、液晶表示装置５の表示面５ａから眼Ｅまでの距離を厳密に調整する必要なく、適宜設定した位置で高い精度の視力検査を行うことが可能となる。
【００２０】
また、本実施形態に係る電子視力計１によれば、被検者が視力検査記号Ｓに対する応答を入力するジョグスイッチが、表示面５ａと平行な平面内で４つの方向を指示できるように筐体２の前面に配置されている。したがって、被検者が視力検査記号Ｓに応じて反射的に入力する際に入力誤りを生ずることがない。その結果、検査結果の信頼性を向上することができるという効果がある。
【００２１】
なお、本実施形態においては視力判定部１３において、被検者からの入力信号に基づいて被検者の視力を判定することとし、前記液晶表示装置５に表示することとしたが、これに代えて、結果表示用の他の表示部を設けてもよい。また、検査結果とともに被検者の識別符号を関連付けて記憶しておくことにより、複数の被検者の検査結果を蓄積することも可能となる。
【００２２】
さらに、視力判定部１３を筐体２内に配置することなく、検査データ記憶部１２に記憶した視力検査記号Ｓとこれに対応する被検者の応答とを関連付けたデータを外部の処理装置に送信する通信手段（データ出力部：図示略）を備えていてもよい。このようにすることで、過去の検査データを蓄積し、視力の変化を分析し、確認することもできる。また、送信するデータに被検者の識別符号を付することにより、複数の被検者について同様の処理を行うことも可能となる。この場合に、筐体２内に余分な機能を持たせないので、小型軽量化を図って、携帯性を向上することができる。
【００２３】
また、上記実施形態においては、被検者が操作するジョグスイッチを筐体２の前面、すなわち、ファインダ用の開口部６と同方向の平面内に配置したが、これに代えて、背面側に配置することにしてもよい。また、この場合、図４に示されるように、単眼の望遠鏡状に構成した筐体２の一端面にファインダ用の開口部６、他端面にジョグスイッチからなる入力操作部４を配置することにしてもよい。このようにしても、表示面（図示略）に現れる視力検査記号の指示と一致する方向にジョグスイッチを配置することができるので、被検者による反射的な応答によっても、正確な方向を指示させることができる。
【００２４】
【発明の効果】
以上説明したように、この発明に係る電子視力計によれば、携帯性に優れ、しかも、高い精度で検査を行うことができるという効果を奏する。したがって、場所や時間を選ぶことなく、検査を行うことができ、被検者や検査者の負担を軽減することができるという効果がある。
【図面の簡単な説明】
【図１】この発明の一実施形態に係る電子視力計を示す正面図である。
【図２】図１の電子視力計の内部構造を示す模式的な縦断面図である。
【図３】図１の電子視力計のシステム構成を示すブロック図である。
【図４】図１の電子視力計の他の変形例を示す斜視図である。
【符号の説明】
Ｓ  視力検査記号
１  電子視力計
２  筐体
３  表示部
４  入力操作部
７  レンズ（コリメート手段）
１３  視力判定部
【図１】
2004201998.tif 000003
【図２】
2004201998.tif 000004
【図３】
2004201998.tif 000005
【図４】
2004201998.tif 000006